(57)【特許請求の範囲】
【請求項１】
ＭＢＭＳデータのＰＴＭ配信をサポートする第１の無線通信装置と、第２の無線通信装置と、を含む通信システムにおける通信制御方法であって、
前記第１の無線通信装置が、前記第２の無線通信装置の負荷に関する情報を送信するステップと、
ユーザ端末が、アイドル状態で前記第１の無線通信装置を通信対象として選択しつつ、前記第１の無線通信装置から前記ＭＢＭＳデータを受信するステップと、
前記ユーザ端末が、前記第１の無線通信装置からＳＩＢを用いてブロードキャストで送信された、前記第２の無線通信装置の負荷に関する情報を受信するステップと、
前記ユーザ端末が、前記第２の無線通信装置に関する識別子のリストを記憶するステップと、
前記ユーザ端末が、前記識別子のリストと、前記第１の無線通信装置から受信した前記第２の無線通信装置の負荷に関する情報と、に基づいて、前記第１の無線通信装置から前記第２の無線通信装置への前記通信対象の再選択を制御するステップと、
前記ユーザ端末が、前記ＭＢＭＳデータの受信継続を望む場合には、前記負荷に関する情報と無関係に、前記第１の無線通信装置に対応する優先度を最も高く設定することにより、前記ＭＢＭＳデータの受信を継続するステップと、
を有することを特徴とする通信制御方法。
【請求項２】
ＭＢＭＳデータのＰＴＭ配信をサポートする第１の無線通信装置と、第２の無線通信装置と、を含む通信システムにおけるユーザ端末であって、
アイドル状態で前記第１の無線通信装置を通信対象として選択しつつ前記第１の無線通信装置から前記ＭＢＭＳデータを受信する受信部であって、前記第１の無線通信装置からＳＩＢを用いてブロードキャストで送信された、前記第２の無線通信装置の負荷に関する情報を受信する受信部と、
前記第２の無線通信装置に関する識別子のリストを記憶し、前記識別子のリストと、前記受信部で受信した前記第２の無線通信装置の負荷に関する情報と、に基づいて、前記第１の無線通信装置から前記第２の無線通信装置への前記通信対象の再選択を制御する制御部と、を有し、
前記ユーザ端末が前記ＭＢＭＳデータの受信継続を望む場合には、前記制御部は、前記負荷に関する情報と無関係に、前記第１の無線通信装置に対応する優先度を最も高く設定することにより、前記ＭＢＭＳデータの受信を継続することを特徴とするユーザ端末。
【請求項３】
ＭＢＭＳデータのＰＴＭ配信をサポートする第１の無線通信装置と、第２の無線通信装置と、を含む通信システムにおけるユーザ端末に備えられる装置であって、
アイドル状態で前記第１の無線通信装置を通信対象として選択しつつ前記第１の無線通信装置から前記ＭＢＭＳデータを受信する処理と、
前記第１の無線通信装置からＳＩＢを用いてブロードキャストで送信された、前記第２の無線通信装置の負荷に関する情報を受信する処理と、
前記第２の無線通信装置に関する識別子のリストを記憶する処理と、
前記識別子のリストと、前記受信した第２の無線通信装置の負荷に関する情報と、に基づいて、前記第１の無線通信装置から前記第２の無線通信装置への前記通信対象の再選択を制御する処理と、
前記ユーザ端末が前記ＭＢＭＳデータの受信継続を望む場合には、前記負荷に関する情報と無関係に、前記第１の無線通信装置に対応する優先度を最も高く設定することにより、前記ＭＢＭＳデータの受信を継続する処理と、
を実行することを特徴とする装置。
【発明の詳細な説明】
【技術分野】
【０００１】
本発明は、ＭＢＭＳデータのＰＴＭ配信をサポートする一般セルと、ＭＢＭＳデータのＰＴＭ配信をサポートしない特定セルと、を含む移動通信システムにおける通信制御方法、基地局、及びユーザ端末に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）を高度化したｅＭＢＭＳ（ｅｖｏｌｖｅｄ  ＭＢＭＳ）の標準化が進められている（例えば、非特許文献１参照）。
【０００３】
このような移動通信システムにおいて、一般セル（例えば、マクロセル）は、ＭＢＭＳをサポートしており、ＭＢＭＳデータをマルチキャスト（Ｐｏｉｎｔ−Ｔｏ−Ｍｕｌｔｉｐｏｉｎｔ：ＰＴＭ）で配信できる。
【０００４】
これに対し、ＭＢＭＳをサポートしていない特定セル（例えば、ＣＳＧセル）は、ＭＢＭＳデータをＰＴＭで配信できない。よって、特定セルとの接続を確立したユーザ端末に対しては、ＭＢＭＳデータをユニキャスト（Ｐｏｉｎｔ−Ｔｏ−Ｐｏｉｎｔ：ＰＴＰ）で配信することが検討されている。
【０００５】
なお、「セル」は、無線通信エリアの最小単位を示す用語として使用される他に、ユーザ端末と無線通信を行う機能を示す用語としても使用される。
【先行技術文献】
【非特許文献】
【０００６】
【非特許文献１】３ＧＰＰ寄書  ＲＰ−１１１３７４， ２０１１年９月
【発明の概要】
【０００７】
一般セル内に、当該一般セルとは異なる周波数で運用される特定セルが設けられる通信環境において、当該一般セルと当該特定セルとの重複部分に位置するユーザ端末が、当該一般セルからＰＴＭで配信されるＭＢＭＳデータをアイドル状態で受信している状況を想定する。
【０００８】
このような特殊な状況下においては、ユーザ端末が待ち受けセルを一般セルから特定セルへ再選択するか否かを判断することが困難である。
【０００９】
そこで、本発明は、セル再選択を適切に行うことができる通信制御方法、基地局、及びユーザ端末を提供することを目的とする。
【００１０】
本発明に係る通信制御方法は、ＭＢＭＳデータのＰＴＭ配信をサポートする第１の無線通信装置と、第２の無線通信装置と、を含む通信システムにおける通信制御方法であって、前記第１の無線通信装置が、該第２の無線通信装置の負荷に関する情報を送信するステップと、アイドル状態で前記第１の無線通信装置を通信対象として選択しつつ前記第１の無線通信装置から前記ＭＢＭＳデータを受信しているユーザ端末が、前記第１の無線通信装置からＳＩＢを用いてブロードキャストで送信された、前記第２の無線通信装置の負荷に関する情報を受信するステップと、前記ユーザ端末が、前記第１の無線通信装置から受信した前記第２の無線通信装置の負荷に関する情報に基づいて、前記第１の無線通信装置から前記第２の無線通信装置への前記通信対象の再選択を制御するステップと、を有する。実施形態に係る通信制御方法は、ＭＢＭＳデータのＰＴＭ配信をサポートする一般セル（例えば、マクロセル）と、前記ＭＢＭＳデータのＰＴＭ配信をサポートしない特定セル（例えば、ＣＳＧセル）と、を含む移動通信システムにおける通信制御方法であって、前記一般セルが、一般セル負荷情報をブロードキャストで送信するステップＡと、アイドル状態で前記一般セルを待ち受けセルとして選択しつつ前記一般セルから前記ＭＢＭＳデータを受信しているユーザ端末が、前記ステップＡで送信された前記一般セル負荷情報を受信するステップＢと、前記ユーザ端末が、前記ステップＢで受信した前記一般セル負荷情報に基づいて、前記一般セルから前記特定セルへのセル再選択を制御するステップＣと、を有することを特徴とする。
【００１１】
前記ステップＣにおいて、前記ユーザ端末は、送信すべき上りリンクデータが発生した場合で、前記一般セル負荷情報が所定閾値よりも高い場合に、前記一般セルから前記特定セルへのセル再選択を行い、前記通信制御方法は、前記ユーザ端末が、前記ステップＣで前記一般セルから前記特定セルへのセル再選択を行った後、前記特定セルとの接続を確立するステップＤをさらに有してもよい。
【００１２】
前記通信制御方法は、前記ユーザ端末が、前記ステップＤで前記特定セルとの接続を確立した後、前記ＭＢＭＳデータを前記特定セルからＰＴＰで受信するステップＥをさらに有してもよい。
【００１３】
前記ステップＡにおいて、前記一般セルは、前記ＭＢＭＳデータを前記一般セルからＰＴＭで配信する場合に、前記一般セル負荷情報をブロードキャストで送信してもよい。
【００１４】
前記ステップＡにおいて、前記一般セルは、前記一般セルの負荷レベルが所定レベルを超えた場合に、前記一般セル負荷情報をブロードキャストで送信してもよい。
【００１５】
前記ステップＣにおいて、前記ユーザ端末は、前記一般セルからブロードキャストされる前記一般セル負荷情報が存在しない場合に、前記セル再選択を行うことなく、前記一般セルを待ち受けセルとして選択してもよい。
【００１６】
前記通信制御方法は、前記一般セルを管理する一般基地局が、ネットワークインターフェイスを介して特定セル負荷情報を取得するステップＦをさらに有し、前記ステップＡにおいて、前記一般セルは、前記ステップＦで取得された前記特定セル負荷情報を、前記一般セル負荷情報と共にブロードキャストで送信し、前記ステップＢにおいて、前記ユーザ端末は、前記ステップＡで送信された前記一般セル負荷情報及び前記特定セル負荷情報を受信し、前記ステップＣにおいて、前記ユーザ端末は、前記ステップＢで受信した前記一般セル負荷情報及び前記特定セル負荷情報に基づいて、前記一般セルから前記特定セルへのセル再選択を制御してもよい。
【００１７】
前記通信制御方法は、前記特定セルを管理する特定基地局が、特定セル負荷情報をブロードキャストで送信するステップＨと、前記ユーザ端末が、前記ステップＨで送信された前記特定セル負荷情報を受信するステップＩと、をさらに有し、前記ステップＣにおいて、前記ユーザ端末は、前記ステップＢで受信した前記一般セル負荷情報と、前記ステップＩで受信した前記特定セル負荷情報と、に基づいて、前記一般セルから前記特定セルへのセル再選択を制御してもよい。
【００１８】
前記ステップＣにおいて、前記ユーザ端末は、前記特定セル負荷情報及び前記一般セル負荷情報のそれぞれが所定閾値よりも低い場合に、前記セル再選択を行うことなく、前記一般セルを待ち受けセルとして選択してもよい。
【００１９】
前記ステップＣにおいて、前記ユーザ端末は、前記特定セル負荷情報及び前記一般セル負荷情報のそれぞれが所定閾値よりも高い場合で、前記ＭＢＭＳデータの受信を望む場合に、前記一般セルから前記特定セルへのセル再選択を行い、前記通信制御方法は、前記ユーザ端末が、前記ステップＣで待ち受けセルを前記一般セルから前記特定セルに切り替えた後、前記特定セルとの接続を確立するステップＪと、前記ユーザ端末が、前記ステップＪで前記特定セルとの接続を確立した後、前記ＭＢＭＳデータを前記特定セルからＰＴＰで受信するステップＫと、をさらに有してもよい。
【００２０】
前記特定セルは、前記一般セルの周波数と異なる周波数で運用されるＣＳＧセルであってもよい。
【００２１】
実施形態に係る基地局は、ＭＢＭＳデータのＰＴＭ配信をサポートする一般セルと、前記ＭＢＭＳデータのＰＴＭ配信をサポートしない特定セルと、を含む移動通信システムにおいて、前記一般セルを管理する基地局（例えば、ｅＮＢ）であって、一般セル負荷情報をブロードキャストで送信する送信部（例えば、無線送受信部１１０及び制御部１４０）を有することを特徴とする。
【００２２】
実施形態に係る基地局は、ＭＢＭＳデータのＰＴＭ配信をサポートする一般セルと、前記ＭＢＭＳデータのＰＴＭ配信をサポートしない特定セルと、を含む移動通信システムにおいて、前記特定セルを管理する基地局（例えば、ＨｅＮＢ）であって、特定セル負荷情報をブロードキャストで送信する送信部（例えば、無線送受信部１１０及び制御部１４０）を有することを特徴とする。
【００２３】
実施形態に係るユーザ端末は、ＭＢＭＳデータのＰＴＭ配信をサポートする一般セルと、前記ＭＢＭＳデータのＰＴＭ配信をサポートしない特定セルと、を含む移動通信システムにおけるユーザ端末であって、アイドル状態で前記一般セルを待ち受けセルとして選択しつつ前記一般セルから前記ＭＢＭＳデータを受信している際に、前記一般セルから送信された一般セル負荷情報を受信する受信部（例えば、無線送受信部２１０及び制御部２４０）と、前記受信部で受信した前記一般セル負荷情報に基づいて、前記一般セルから前記特定セルへのセル再選択を制御する制御部（例えば、制御部２４０）と、を有することを特徴とする。
【図面の簡単な説明】
【００２４】
【図１】第１実施形態及び第２実施形態に係るＬＴＥシステムの構成を示す。
【図２】第１実施形態及び第２実施形態に係るＬＴＥシステムの無線インターフェイスのプロトコルスタックを示す。
【図３】第１実施形態及び第２実施形態に係るＬＴＥシステムで使用される無線フレームの構成を示す。
【図４】第１実施形態及び第２実施形態に係るｅＭＢＭＳ基盤の論理構成を示す。
【図５】第１実施形態及び第２実施形態に係る論理チャネルとトランスポートチャネルと物理チャネルとのマッピングを示す。
【図６】第１実施形態及び第２実施形態に係るＨｅＮＢのブロック図である。
【図７】第１実施形態及び第２実施形態に係るｅＮＢのブロック図である。
【図８】第１実施形態及び第２実施形態に係るＵＥのブロック図である。
【図９】第１実施形態及び第２実施形態に係るｅＮＢ及びＵＥの動作環境を示す。
【図１０】第１実施形態及び第２実施形態に係るセル再選択制御を示す。
【図１１】第１実施形態に係る動作シーケンス図である。
【図１２】第２実施形態に係る動作シーケンス図である。
【発明を実施するための形態】
【００２５】
［実施形態の概要］
ＭＢＭＳデータのＰＴＭ配信をサポートする一般セル（例えば、マクロセル）と、ＭＢＭＳデータのＰＴＭ配信をサポートしない特定セル（例えば、ＣＳＧセル）と、を含む移動通信システムにおける通信制御方法は、一般セルが、一般セル負荷情報をブロードキャストで送信するステップＡと、アイドル状態で一般セルを待ち受けセルとして選択しつつ一般セルからＭＢＭＳデータを受信しているユーザ端末が、ステップＡで送信された一般セル負荷情報を受信するステップＢと、ユーザ端末が、ステップＢで受信した一般セル負荷情報に基づいて、一般セルから特定セルへのセル再選択を制御するステップＣと、を有する。
【００２６】
このように、アイドル状態で一般セルを待ち受けセルとして選択しつつ一般セルからＭＢＭＳデータを受信しているユーザ端末は、一般セル負荷情報に基づいて、一般セルから特定セルへのセル再選択を制御する。
【００２７】
例えば、ユーザ端末は、一般セルが高負荷状態にある場合には、特定セルに対するセル選択の優先度を上げることで、一般セルから特定セルへのセル再選択を行う。これにより、高負荷状態にある一般セルとの接続を確立することを防止できるため、ユーザ端末におけるサービス品質の低下を抑制できる。
【００２８】
通信制御方法は、一般セルを管理する一般基地局が、ネットワークインターフェイスを介して特定セル負荷情報を取得するステップＦをさらに有し、ステップＡにおいて、一般セルは、ステップＦで取得された特定セル負荷情報を、一般セル負荷情報と共にブロードキャストで送信し、ステップＢにおいて、ユーザ端末は、ステップＡで送信された一般セル負荷情報及び特定セル負荷情報を受信し、ステップＣにおいて、ユーザ端末は、ステップＢで受信した一般セル負荷情報及び特定セル負荷情報に基づいて、一般セルから特定セルへのセル再選択を制御してもよい。
【００２９】
或いは、通信制御方法は、特定セルを管理する特定基地局が、特定セル負荷情報をブロードキャストで送信するステップＨと、ユーザ端末が、ステップＨで送信された特定セル負荷情報を受信するステップＩと、をさらに有し、ステップＣにおいて、ユーザ端末は、ステップＢで受信した一般セル負荷情報と、ステップＩで受信した特定セル負荷情報と、に基づいて、一般セルから特定セルへのセル再選択を制御してもよい。
【００３０】
このように、アイドル状態で一般セルを待ち受けセルとして選択しつつ一般セルからＭＢＭＳデータを受信しているユーザ端末は、一般セル負荷情報だけでなく、特定セル負荷情報に基づいて、一般セルから特定セルへのセル再選択を制御する。これにより、ユーザ端末は、一般セル及び特定セルそれぞれの負荷状態を考慮して、一般セルから特定セルへのセル再選択を制御できる。
【００３１】
例えば、ユーザ端末は、一般セル及び特定セルのうち、一方のセルが高負荷状態にあり、他方のセルが低負荷状態にある場合には、当該一方のセルに対するセル選択の優先度を下げる、及び／又は当該他方のセルに対するセル選択の優先度を上げる。これにより、高負荷状態にあるセルとの接続を確立することを防止できるため、ユーザ端末におけるサービス品質の低下を抑制できる。
【００３２】
また、ステップＣにおいて、ユーザ端末は、送信すべき上りリンクデータが発生したか否か（すなわち、ユニキャストデータを送受信する必要が生じたか否か）も考慮して、一般セルから特定セルへのセル再選択を制御することが好ましい。
【００３３】
さらに、ステップＣにおいて、ユーザ端末は、ＭＢＭＳデータの受信継続を望むか否か（すなわち、ＭＢＭＳに依然として興味があるか否か）も考慮して、一般セルから特定セルへのセル再選択を制御することが好ましい。
【００３４】
［第１実施形態］
本実施形態においては、リリース１０以降の３ＧＰＰ規格（すなわち、ＬＴＥ  Ａｄｖａｎｃｅｄ）に基づいて構成される移動通信システム（以下、「ＬＴＥシステム」と称する）を例に説明する。
【００３５】
以下において、（１）ＬＴＥシステムの概要、（２）ＭＢＭＳの概要、（３）ＨｅＮＢ、ｅＮＢ、及びＵＥの構成、（４）ＨｅＮＢ、ｅＮＢ、及びＵＥの動作の順に説明する。
【００３６】
（１）ＬＴＥシステムの概要
図１は、ＬＴＥシステムの構成を示す。図１に示すように、ＬＴＥシステムは、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）と、ＵＥ（Ｕｓｅｒ  Ｅｑｕｉｐｍｅｎｔ）と、ＥＰＣ（Ｅｖｏｌｖｅｄ  Ｐａｃｋｅｔ  Ｃｏｒｅ）と、を有する。
【００３７】
Ｅ−ＵＴＲＡＮは、ｅＮＢ（ｅｖｏｌｖｅｄ  Ｎｏｄｅ−Ｂ）と、ＨｅＮＢ（Ｈｏｍｅ  ｅｖｏｌｖｅｄ  Ｎｏｄｅ−Ｂ）と、ＨｅＮＢ  ＧＷ（Ｈｏｍｅ  ｅｖｏｌｖｅｄ  Ｎｏｄｅ−Ｂ  Ｇａｔｅｗａｙ）と、を含む。
【００３８】
ｅＮＢは、マクロセルを管理しており、マクロセルとの接続を確立したＵＥとの無線通信を行う。
【００３９】
マクロセルは、ＭＢＭＳをサポートする。詳細には、マクロセルは、ＭＢＭＳデータをＰＴＭ（マルチキャスト）で配信することができる。本実施形態では、マクロセルは一般セルに相当し、ｅＮＢは一般基地局に相当する。
【００４０】
ＨｅＮＢは、マクロセルよりもカバー範囲が狭いセルであって、アクセス権を有するＵＥのみがアクセス可能なＣＳＧ（Ｃｌｏｓｅｄ  Ｓｕｂｓｃｒｉｂｅｒ  Ｇｒｏｕｐ）セルを管理する。ＨｅＮＢは、ＣＳＧセルとの接続を確立したＵＥとの無線通信を行う。
【００４１】
ＣＳＧセルは、ＭＢＭＳをサポートしない。詳細には、ＣＳＧセルは、ＭＢＭＳデータをＰＴＭで配信することができない。ただし、ＣＳＧセルは、ＭＢＭＳデータをＰＴＰ（ユニキャスト）で配信することはできる。本実施形態では、ＣＳＧセルは特定セルに相当し、ＨｅＮＢは特定基地局に相当する。
【００４２】
また、ｅＮＢ及びＨｅＮＢは、例えば、無線リソース管理（ＲＲＭ）機能と、ユーザデータのルーティング機能と、モビリティ制御及びスケジューリングのための測定制御機能と、を有する。
【００４３】
ＨｅＮＢ  ＧＷは、複数のＨｅＮＢが接続されており、複数のＨｅＮＢを管理する。
【００４４】
ＥＰＣは、ＭＭＥ（Ｍｏｂｉｌｉｔｙ  Ｍａｎａｇｅｍｅｎｔ  Ｅｎｔｉｔｙ）と、Ｓ−ＧＷ（Ｓｅｒｖｉｎｇ−Ｇａｔｅｗａｙ）と、を含む。ＭＭＥは、ＵＥに対する各種モビリティ制御等を行うネットワークエンティティであり、制御局に相当する。Ｓ−ＧＷは、ユーザデータの転送制御を行うネットワークエンティティであり、交換局に相当する。
【００４５】
ｅＮＢ（及びＨｅＮＢ）は、Ｘ２インターフェイスを介して相互に連結される。また、ｅＮＢ（及びＨｅＮＢ）は、Ｓ１インターフェイスを介してＭＭＥ及びＳ−ＧＷ（及びＨｅＮＢ  ＧＷ）と連結される。Ｘ２インターフェイス及びＳ１インターフェイスは、ネットワークインターフェイスを構成する。
【００４６】
ＵＥは、移動型の無線通信装置であり、接続を確立したセル（サービングセルと称される）との無線通信を行う。本実施形態では、ＵＥはユーザ端末に相当する。
【００４７】
ＵＥは、待ち受け中の状態に相当するアイドル状態（ＲＲＣアイドル状態）において、待ち受けセルを選択し、選択したセルに対する待ち受けを行う。ＲＲＣアイドル状態において待ち受けセルを変更する処理は、セル再選択と称される。
【００４８】
また、ＵＥは、通信中の状態に相当するコネクティッド状態（ＲＲＣコネクティッド状態）において、サービングセルとの無線通信を行う。ＲＲＣコネクティッド状態においてサービングセルを変更する処理は、ハンドオーバと称される。
【００４９】
ＵＥは、ＭＢＭＳをサポートする。詳細には、ＵＥは、ＲＲＣアイドル状態又はＲＲＣコネクティッド状態において、ｅＮＢからＰＴＭで配信されるＭＢＭＳデータを受信することができる。
【００５０】
図２は、ＬＴＥシステムの無線インターフェイスのプロトコルスタックを示す。
【００５１】
図２に示すように、無線インターフェイスプロトコルは、ＯＳＩ参照モデルのレイヤ１〜レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００５２】
物理レイヤは、データ符号化・復号、変調・復調、アンテナマッピング・デマッピング、及びリソースマッピング・デマッピングを行う。物理レイヤは、物理チャネルを用いて上位レイヤに伝送サービスを提供する。ＵＥの物理レイヤとｅＮＢの物理レイヤとの間では、物理チャネルを介してデータが伝送される。物理レイヤは、トランスポートチャネルを介してＭＡＣレイヤと連結される。
【００５３】
ＭＡＣレイヤは、データの優先制御、及びハイブリッドＡＲＱ（ＨＡＲＱ）による再送処理などを行う。ＵＥのＭＡＣレイヤとｅＮＢのＭＡＣレイヤとの間では、トランスポートチャネルを介してデータが伝送される。ｅＮＢのＭＡＣレイヤは、上下リンクのトランスポートフォーマット及びリソースブロックを決定するＭＡＣスケジューラを含む。トランスポートフォーマットは、トランスポートブロックサイズ、変調・符号化方式（ＭＣＳ）、及びアンテナマッピングを含む。
【００５４】
ＲＬＣレイヤは、ＭＡＣレイヤ及び物理レイヤの機能を利用してデータを受信側のＲＬＣレイヤに伝送する。ＵＥのＲＬＣレイヤとｅＮＢのＲＬＣレイヤとの間では、論理チャネルを介してデータが伝送される。
【００５５】
ＰＤＣＰレイヤは、ヘッダ圧縮・伸張、及び暗号化・復号化を行う。
【００５６】
ＲＲＣレイヤは、制御プレーンでのみ定義される。ＵＥのＲＲＣレイヤとｅＮＢのＲＲＣレイヤとの間では、無線ベアラを介してデータが伝送される。ＲＲＣレイヤは、無線ベアラの確立、再確立及び解放に応じて、論理チャネル、トランスポートチャネル、及び物理チャネルを制御する。ＵＥのＲＲＣとｅＮＢのＲＲＣとの間にＲＲＣコネクションがある場合、ＵＥはＲＲＣコネクティッド状態であり、そうでない場合、ＵＥはＲＲＣアイドル状態である。
【００５７】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００５８】
図３は、ＬＴＥシステムで使用される無線フレームの構成を示す。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）を採用する。
【００５９】
図３に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。
【００６０】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用されるデータ領域である。
【００６１】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用されるデータ領域である。
【００６２】
（２）ＭＢＭＳの概要
ＭＢＭＳは、同報型配信を実現するベアラサービスであり、ＭＢＭＳデータの受信を望む複数のＵＥに対して、共通のベアラで一斉にＭＢＭＳデータを配信する方式である。
【００６３】
ＬＴＥシステムでは、複数のｅＮＢがＭＢＳＦＮ（ＭＢＭＳ  Ｓｉｎｇｌｅ  Ｆｒｅｑｕｅｎｃｙ  Ｎｅｔｗｏｒｋ）を構成し、ＭＢＳＦＮ送信方式によりＭＢＭＳデータを配信することができる。ＭＢＳＦＮを構成するｅＮＢは、同一信号を一斉同期送信する。これにより、ＵＥは、各ｅＮＢから送信された信号をＲＦ（Ｒａｄｉｏ  Ｆｒｅｑｕｅｎｃｙ）合成できる。
【００６４】
図４は、ｅＭＢＭＳ基盤の論理構成を示す。図４に示すように、ＬＴＥシステムは、図１に示したネットワークエンティティに加えて、ＢＭＳＣ（Ｂｒｏａｄｃａｓｔ  Ｍｕｌｔｉｃａｓｔ  Ｓｅｒｖｉｃｅ  Ｃｅｎｔｅｒ）と、ＭＢＭＳ  ＧＷ（ＭＢＭＳ  Ｇａｔｅｗａｙ）と、ＭＣＥ（Ｍｕｌｔｉ−Ｃｅｌｌ  Ｍｕｌｔｉｃａｓｔ  Ｃｏｏｒｄｉｎａｔｉｏｎ  Ｅｎｔｉｔｙ）と、を有する。
【００６５】
ＢＭＳＣは、配信すべきＭＢＭＳデータを保持する。ＭＢＭＳ  ＧＷは、ＢＭＳＣが保持するＭＢＭＳデータをＩＰ（Ｉｎｔｅｒｎｅｔ  Ｐｒｏｔｏｃｏｌ）マルチキャストで各ｅＮＢに伝送する。ＭＣＥは、ＭＢＳＦＮを構成する各ｅＮＢに対して、ＭＢＭＳデータを同期させたり、ＭＢＭＳデータのための無線リソースを指定したりする。
【００６６】
図５は、下りリンクにおける、論理チャネルとトランスポートチャネルと物理チャネルとのマッピングを示す。図５に示すように、ＬＴＥシステムには、ＭＢＭＳ用の論理チャネルとして、ＭＴＣＨ（Ｍｕｌｔｉｃａｓｔ  Ｔｒａｆｆｉｃ  Ｃｈａｎｎｅｌ）と、ＭＣＣＨ（Ｍｕｌｔｉｃａｓｔ  Ｃｏｎｔｒｏｌ  Ｃｈａｎｎｅｌ）と、が規定される。また、ＭＢＭＳ用のトランスポートチャネルとして、ＭＣＨ（Ｍｕｌｔｉｃａｓｔ  Ｃｈａｎｎｅｌ）が規定される。
【００６７】
マクロセル（詳細には、マクロセルを管理するｅＮＢ）は、マルチキャストチャネル（ＭＴＣＨ及びＭＣＣＨ）を介して、ＭＢＭＳデータと、ＭＢＭＳデータ配信を制御するためのＭＢＭＳサービス情報と、をマルチキャスト配信する。
【００６８】
これに対して、ＣＳＧセル（詳細には、ＣＳＧセルを管理するＨｅＮＢ）は、ＭＴＣＨ及びＭＣＣＨを使用することができない。ただし、ＣＳＧセルは、自セルとのＲＲＣコネクションを確立したＵＥに対して、例えばＤＴＣＨ（Ｄｅｄｉｃａｔｅｄ  Ｔｒａｆｆｉｃ  Ｃｈａｎｎｅｌ）及びＤＣＣＨ（Ｄｅｄｉｃａｔｅｄ  Ｃｏｎｔｒｏｌ  Ｃｈａｎｎｅｌ）等のチャネルを介して、ＭＢＭＳデータをユニキャスト配信することは可能である。
【００６９】
なお、マクロセル及びＣＳＧセルは、報知チャネル（ＢＣＣＨ；Ｂｒｏａｄｃａｓｔ  Ｃｏｎｔｒｏｌ  Ｃｈａｎｎｅｌ）を介して報知情報をブロードキャストで送信する。報知情報は、例えば、ＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）などの情報である。
【００７０】
（３）ＨｅＮＢ、ｅＮＢ、及びＵＥの構成
（３．１）ＨｅＮＢの構成
図６は、ＨｅＮＢのブロック図である。図６に示すように、ＨｅＮＢは、アンテナ１０１Ａと、無線送受信部１１０Ａと、ネットワーク通信部１２０Ａと、記憶部１３０Ａと、制御部１４０Ａと、を有する。
【００７１】
アンテナ１０１Ａ及び無線送受信部１１０Ａは、無線信号の送受信に用いられる。ネットワーク通信部１２０Ａは、ネットワークインターフェイス上で通信を行う。記憶部１３０Ａは、例えばメモリであり、制御部１４０Ａによる制御に使用される情報を記憶する。制御部１４０Ａは、例えばプロセッサ（ＣＰＵ）であり、上述した各レイヤでの処理を行うと共に、後述する各種の制御を行う。
【００７２】
また、制御部１４０Ａは、ＣＳＧセル（ＨｅＮＢ）の負荷レベルを示すＣＳＧセル負荷情報を生成する。ＣＳＧセル（ＨｅＮＢ）の負荷レベルとは、例えば以下の何れかを意味する。
【００７３】
・ＣＳＧセル（ＨｅＮＢ）におけるリソースブロック（ＲＢ）の使用数又は使用率
・ＣＳＧセル（ＨｅＮＢ）におけるメモリ及びＣＰＵの使用率
・ＣＳＧセル（ＨｅＮＢ）においてバッファリングされている下りリンクデータ量
・ＣＳＧセル（ＨｅＮＢ）とのＲＲＣコネクションを確立しているＵＥの数
・ＣＳＧセル（ＨｅＮＢ）における単位時間あたりのランダムアクセス・プリアンブルの受信数（Ｒｅｃｅｉｖｅｄ  Ｒａｎｄｏｍ  Ａｃｃｅｓｓ  Ｐｒｅａｍｂｌｅｓ）
・ＣＳＧセル（ＨｅＮＢ）におけるパケット遅延（Ｐａｃｋｅｔ  Ｄｅｌａｙ）
・ＣＳＧセル（ＨｅＮＢ）におけるデータロス率（Ｄａｔａ  Ｌｏｓｓ）
・ＣＳＧセル（ＨｅＮＢ）におけるＩＰスループット（Ｓｃｈｅｄｕｌｅｄ  ＩＰ  Ｔｈｒｏｕｇｈｐｕｔ）
本実施形態では、制御部１４０Ａは、ＣＳＧセル負荷情報をネットワークインターフェイス上でマクロセル（ｅＮＢ）に送信するようネットワーク通信部１２０Ａを制御する。
【００７４】
制御部１４０Ａは、マクロセル（ｅＮＢ）からの要求に応じてＣＳＧセル負荷情報をマクロセル（ｅＮＢ）に送信してもよい。詳細には、１回の要求につき１回の返信（ＣＳＧセル負荷情報の送信）を行なってもよく、１回の要求があれば停止要求があるまで定期的にＣＳＧセル負荷情報を送信し続けてもよい。
【００７５】
あるいは、制御部１４０Ａは、マクロセル（ｅＮＢ）からの要求がなくても、ＣＳＧセル負荷情報をマクロセル（ｅＮＢ）に定期的に送信してもよい。
【００７６】
或いは、マクロセル（ｅＮＢ）からの要求がなくても、負荷が基準値を超えた時点で、ＣＳＧセル負荷情報をマクロセル（ｅＮＢ）に送信してもよい。詳細には負荷が基準値を超えた時点で１回の送信（ＣＳＧセル負荷情報の送信）を行なってもよく、負荷が基準値を超えれば基準値を下回る、或いはマクロセル（ｅＮＢ）からの停止要求があるまで定期的にＣＳＧセル負荷情報を送信し続けてもよい。
【００７７】
（３．２）ｅＮＢの構成
図７は、ｅＮＢのブロック図である。図７に示すように、ｅＮＢは、アンテナ１０１Ｂと、無線送受信部１１０Ｂと、ネットワーク通信部１２０Ｂと、記憶部１３０Ｂと、制御部１４０Ｂと、を有する。
【００７８】
アンテナ１０１Ｂ及び無線送受信部１１０Ｂは、無線信号の送受信に用いられる。ネットワーク通信部１２０Ｂは、ネットワークインターフェイス上で通信を行う。記憶部１３０Ｂは、例えばメモリであり、制御部１４０Ｂによる制御に使用される情報を記憶する。制御部１４０Ｂは、例えばプロセッサ（ＣＰＵ）であり、上述した各レイヤでの処理を行うと共に、後述する各種の制御を行う。
【００７９】
また、制御部１４０Ｂは、マクロセル（ｅＮＢ）の負荷レベルを示すマクロセル負荷情報を生成する。マクロセル（ｅＮＢ）の負荷レベルとは、例えば以下の何れかを意味する。
【００８０】
・マクロセル（ｅＮＢ）におけるリソースブロック（ＲＢ）の使用数又は使用率
・マクロセル（ｅＮＢ）におけるメモリ及びＣＰＵの使用率
・マクロセル（ｅＮＢ）においてバッファリングされている下りリンクデータ量
・マクロセル（ｅＮＢ）とのＲＲＣコネクションを確立しているＵＥの数
・マクロセル（ｅＮＢ）における単位時間あたりのランダムアクセス・プリアンブルの受信数（Ｒｅｃｅｉｖｅｄ  Ｒａｎｄｏｍ  Ａｃｃｅｓｓ  Ｐｒｅａｍｂｌｅｓ）
・マクロセル（ｅＮＢ）におけるパケット遅延（Ｐａｃｋｅｔ  Ｄｅｌａｙ）
・マクロセル（ｅＮＢ）におけるデータロス率（Ｄａｔａ  Ｌｏｓｓ）
・マクロセル（ｅＮＢ）におけるＩＰスループット（Ｓｃｈｅｄｕｌｅｄ  ＩＰ  Ｔｈｒｏｕｇｈｐｕｔ）
本実施形態では、制御部１４０Ｂは、マクロセル内にあるＣＳＧセル（ＨｅＮＢ）毎にＣＳＧセル負荷情報を受信するようネットワーク通信部１２０Ｂを制御する。そして、制御部１４０Ｂは、マクロセル負荷情報をＣＳＧセル負荷情報と共にブロードキャストで送信するよう無線送受信部１１０Ｂを制御する。制御部１４０Ｂは、マクロセル負荷情報及びＣＳＧセル負荷情報をＳＩＢに含めて送信してもよい。
【００８１】
なお、制御部１４０Ｂは、マクロセル（ｅＮＢ）の負荷レベルが所定レベルを超えている期間においてマクロセル負荷情報を送信し、当該負荷レベルが当該所定レベルを超えていない期間においてマクロセル負荷情報を送信しないよう制御してもよい。
【００８２】
また、制御部１４０Ｂは、ＣＳＧセル（ＨｅＮＢ）の負荷レベルが所定レベルを超えている期間においてＣＳＧセル負荷情報を送信し、当該負荷レベルが当該所定レベルを超えていない期間においてＣＳＧセル負荷情報を送信しないよう制御してもよい。
【００８３】
（３．３）ＵＥの構成
図８は、ＵＥのブロック図である。図８に示すように、ＵＥは、アンテナ２０１と、無線送受信部２１０と、ＧＰＳ（Ｇｌｏｂａｌ  Ｐｏｓｉｔｉｏｎｉｎｇ  Ｓｙｓｔｅｍ）受信部２２０と、記憶部２３０と、制御部２４０と、を有する。
【００８４】
アンテナ２０１及び無線送受信部２１０は、無線信号の送受信に用いられる。ＧＰＳ受信部２２０は、ＵＥの位置を示すＵＥ位置情報を得るために、ＧＰＳ信号を受信する。記憶部２３０は、制御部２４０による制御に使用される情報を記憶する。制御部２４０は、上述した各レイヤでの処理を行うと共に、後述する各種の制御を行う。また、制御部２４０は、ＧＰＳ受信部２２０の出力に基づいてＵＥ位置情報を取得する。ただし、ＵＥがＧＰＳ受信部２２０を有しない場合、無線送受信部２１０が受信する無線信号に基づいてＵＥ位置情報を取得してもよい。
【００８５】
また、記憶部２３０は、ＵＥがアクセス権を有するＧＳＧセルのリスト（詳細には、ＣＳＧ  ＩＤのリスト）であるホワイトリストを記憶する。また、記憶部２３０は、ＵＥがアクセス権を有するＧＳＧセルの位置を示すＧＳＧセル位置情報を記憶する。ＧＳＧセル位置情報は、ＵＥ位置情報と共に、ＵＥの近傍に当該ＵＥがアクセス権を有するＧＳＧセルが存在するかを判断する処理であるａｕｔｏｎｏｍｏｕｓ  ｓｅａｒｃｈ  ｐｒｏｃｅｄｕｒｅに使用される。
【００８６】
本実施形態では、制御部２４０は、ＲＲＣアイドル状態において、ＵＥの待ち受けセルの選択（Ｃｅｌｌ  Ｒｅｓｅｌｅｃｔｉｏｎ）を制御する。
【００８７】
一般的には、制御部２４０は、現在のセルの品質（Ｑｍｅａｓ，ｓ）と隣接セルの品質（Ｑｍｅａｓ，ｎ）との比較結果に応じて、各セルのランキングを行う。制御部２４０は、最も高いランキングを有するセルを待ち受けセルとして選択する。なお、隣接セルは、現在のセルに隣接するセルであることは勿論である。詳細には、制御部２４０は、現在のセルの品質（Ｑｍｅａｓ，ｓ）にヒステリシス（ＱＨｙｓｔ）を加算して、現在のセルのランキング（Ｒｓ）を算出する。また、制御部２４０は、隣接セルの品質（Ｑｍｅａｓ，ｓ）からオフセット（Ｑｏｆｆｓｅｔ）を減算して、現在のセルのランキング（Ｒｎ）を算出する。
【００８８】
或いは、制御部２４０は、セルの周波数の優先度（ｃｅｌｌＲｅｓｅｌｅｃｔｉｏｎＰｒｉｏｒｉｔｙ）に基づいて、最も高い優先度を有するセルを待ち受けセルとして選択する。或いは、制御部２４０は、ランキング結果及び優先度（ｃｅｌｌＲｅｓｅｌｅｃｔｉｏｎＰｒｉｏｒｉｔｙ）に基づいて、最も優先度が高いセルを待ち受けセルとして選択する。なお、ランキングは、待ち受けセルとして選択される優先度を示しているため、優先度の一種と解釈してもよいことに留意すべきである。
【００８９】
なお、ヒステリシス（ＱＨｙｓｔ）、オフセット（Ｑｏｆｆｓｅｔ）及び優先度（ｃｅｌｌＲｅｓｅｌｅｃｔｉｏｎＰｒｉｏｒｉｔｙ）は、マクロセル（ｅＮＢ）からブロードキャストされる情報である。
【００９０】
一方で、制御部２４０は、ＵＥがアクセス権を有するＣＳＧセルのリスト（すなわち、ホワイトリスト）に含まれるＣＳＧセルが隣接セルに含まれる場合には、当該ＣＳＧセルの優先度を最も高く設定する。すなわち、制御部２４０は、ホワイトリストに含まれるＣＳＧセルが隣接セルに含まれる場合には、当該ＣＳＧセルを待ち受けセルとして選択する。例えば、ＣＳＧセルの周波数がマクロセルの周波数と異なる場合に、ＣＳＧセルの優先度が最も高く設定されてもよい。なお、ＣＳＧセルの周波数がマクロセルの周波数と同じである場合に、ＣＳＧセルの優先度が最も高く設定されてもよい。
【００９１】
以上のように、一般的なセル選択について説明したが、本実施形態において、制御部２４０は、特定の条件下において、以下のようにセル再選択を制御する。
【００９２】
制御部２４０は、マクロセルからＰＴＭで配信されるＭＢＭＳデータをＲＲＣアイドル状態で受信する場合で、かつ、マクロセルの周波数がＣＳＧセルの周波数と異なっている場合において、セル選択の優先度として、ＣＳＧセルよりもマクロセルの優先度を高く設定する。これに対し、マクロセルからＰＴＭで配信されるＭＢＭＳデータをＲＲＣアイドル状態で受信する場合で、かつ、マクロセルの周波数がＣＳＧセルの周波数と同じである場合において、セル選択の優先度として、マクロセルよりもＣＳＧセルの優先度を高く設定する。
【００９３】
さらに、制御部２４０は、マクロセルからＰＴＭで配信されるＭＢＭＳデータをＲＲＣアイドル状態で受信している場合で、かつ、マクロセルの周波数がＣＳＧセルの周波数と異なっている場合において、送信すべき上りリンクデータが発生したとき、すなわち、ユニキャストデータを送受信する必要が生じたときは、ＲＲＣコネクションを確立すべきセルを適切に選択にするために、マクロセル負荷情報及びＣＳＧセル負荷情報に基づいてセル再選択を制御する。ここで、制御部２４０は、マクロセル負荷情報及びＣＳＧセル負荷情報に加えて、ＭＢＭＳデータの受信継続を望むか否か（すなわち、ＭＢＭＳに依然として興味があるか否か）も考慮して、セル再選択を制御することが好ましい。そして、ＵＥは、選択したセルとのＲＲＣコネクションを確立して、ＲＲＣコネクティッド状態に遷移する。マクロセル負荷情報及びＣＳＧセル負荷情報に基づくセル再選択制御の詳細については後述する。
【００９４】
（４）ＨｅＮＢ、ｅＮＢ、及びＵＥの動作
図９は、本実施形態に係るｅＮＢ及びＵＥの動作環境を示す。
【００９５】
図９に示すように、マクロセル内に、当該マクロセルとは異なる周波数で運用されるＣＳＧセルが設けられており、当該マクロセルと当該ＣＳＧセルとの重複部分にＲＲＣアイドル状態のＵＥが位置している。ここで、ＵＥは、当該ＣＳＧセルのメンバーＵＥであり、当該ＣＳＧセルに対するアクセス権を有する。
【００９６】
このような場合、ＵＥは、通常であれば、例えばａｕｔｏｎｏｍｏｕｓ  ｓｅａｒｃｈ  ｐｒｏｃｅｄｕｒｅによってＣＳＧセルの近傍であることを検知し、ＣＳＧセルの優先度を最も高く設定することで、ＣＳＧセルを待ち受けセルとして選択することになる。
【００９７】
しかし、ＵＥは、ＭＢＭＳデータの受信を望んでおり、マクロセルからＰＴＭで配信されるＭＢＭＳデータを受信するために、マクロセルの優先度を最も高く設定することで、マクロセルを待ち受けセルとして選択している。
【００９８】
マクロセルからＰＴＭで配信されるＭＢＭＳデータをＲＲＣアイドル状態で受信しているＵＥは、当該マクロセルとは周波数が異なり、かつアクセス権を有するＣＳＧセルが近傍にあることを検知している場合において、以下の３つの判断基準に基づいて、マクロセルからＣＳＧセルへのセル再選択を行うか否かを判断（セル再選択制御）する。
【００９９】
・マクロセルからブロードキャストで送信されるマクロセル負荷情報及び／又はＣＳＧセル負荷情報
・送信すべき上りリンクデータが発生したか否か（すなわち、ユニキャストデータを送受信する必要が生じたか否か）
・ＭＢＭＳデータの受信継続を望むか否か（すなわち、ＭＢＭＳに依然として興味があるか否か）
（４．１）セル再選択制御
図１０は、本実施形態に係るセル選択制御を示す。
【０１００】
図１０に示すように、マクロセルからＰＴＭで配信されるＭＢＭＳデータをＲＲＣアイドル状態で受信しているＵＥは、当該マクロセルとは周波数が異なり、かつアクセス権を有するＣＳＧセルが近傍にあることを検知している場合であっても、送信すべき上りリンクデータが発生していない（以下、「ユニキャスト不要」と称する）のであれば、マクロセルからＣＳＧセルへのセル再選択を行わずに、ＲＲＣアイドル状態でマクロセルを選択した状態を維持する。これにより、不要なセル再選択を抑制できる。これに対し、送信すべき上りリンクデータが発生した場合（以下、「ユニキャスト要」と称する）において、ＵＥは、マクロセルからブロードキャストで送信されるマクロセル負荷情報及び／又はＣＳＧセル負荷情報に基づいてセル再選択制御（及び接続処理）を行う。
【０１０１】
具体的には、ＵＥは、マクロセル及びＣＳＧセルのうち、一方のセルが高負荷状態にあり、他方のセルが低負荷状態にある場合には、当該一方のセルに対するセル選択の優先度を下げる、及び／又は当該他方のセルに対するセル選択の優先度を上げる。なお、高負荷状態のセルとは、当該セルについての負荷情報が閾値よりも高い場合を意味する。低負荷状態のセルとは、当該セルについての負荷情報が閾値よりもよりも低い場合、又は当該セルについての負荷情報が存在しない（すなわち、送信されない）場合を意味する。
【０１０２】
例えば、マクロセルが高負荷状態にあり、ＣＳＧセルが低負荷状態にある場合には、ＵＥは、ＣＳＧセルの優先度を最も高くするよう設定することで、マクロセルからＣＳＧセルへのセル再選択を行った上で、ＣＳＧセルとのＲＲＣコネクションを確立する。この場合、ＲＲＣコネクティッド状態に遷移したＵＥは、ＭＢＭＳデータの受信継続を望むのであれば、ＣＳＧセルからＰＴＰ（ユニキャスト）で配信されるＭＢＭＳデータを受信することができる。
【０１０３】
これに対し、ＣＳＧセルが高負荷状態にあり、マクロセルが低負荷状態にある場合には、ＵＥは、マクロセルの優先度を最も高くするよう設定することで、マクロセルからＣＳＧセルへのセル再選択を行うことなく、マクロセルとのＲＲＣコネクションを確立する。この場合、ＲＲＣコネクティッド状態に遷移したＵＥは、ＭＢＭＳデータの受信継続を望むのであれば、マクロセルからＰＴＭ（マルチキャスト）で配信されるＭＢＭＳデータを受信することができる。
【０１０４】
このように、マクロセルからＰＴＭで配信されるＭＢＭＳデータをＲＲＣアイドル状態で受信しているＵＥは、当該マクロセルとは周波数が異なり、かつアクセス権を有するＣＳＧセルが近傍にあることを検知している場合において、ユニキャスト要になった場合ときは、マクロセル及びＣＳＧセルのうち低負荷状態のセルを優先的に選択して、当該選択したセルとのＲＲＣコネクションを確立する。これにより、高負荷状態にあるセルとのＲＲＣコネクションを確立することを防止できるため、ＵＥにおけるサービス品質の低下を抑制できる。
【０１０５】
さらに、ＵＥは、ユニキャスト要、かつ、マクロセル及びＣＳＧセルの何れも低負荷状態である場合において、ＭＢＭＳデータの受信継続を望む（以下、「ＭＢＭＳ要」と称する）のであれば、マクロセルの優先度を最も高くするよう設定することで、マクロセルからＣＳＧセルへのセル再選択を行うことなく、マクロセルとのＲＲＣコネクションを確立する。この場合、ＲＲＣコネクティッド状態に遷移したＵＥは、マクロセルからＰＴＭ（マルチキャスト）で配信されるＭＢＭＳデータを受信することができる。また、ＵＥは、マクロセルとのＲＲＣコネクションを確立した後、ＲＲＣコネクティッド状態からＲＲＣアイドル状態に遷移しても、マクロセルからＰＴＭで配信されるＭＢＭＳデータ（及びＭＢＭＳサービス情報）を受信できる。
【０１０６】
これに対し、ユニキャスト要、かつ、マクロセル及びＣＳＧセルの何れも低負荷状態である場合において、ＭＢＭＳデータの受信継続を望まない（以下、「ＭＢＭＳ不要」と称する）のであれば、一般的な手法と同様にＣＳＧセルの優先度を最も高くするよう設定することで、マクロセルからＣＳＧセルへのセル再選択を行った上で、ＣＳＧセルとのＲＲＣコネクションを確立する。
【０１０７】
なお、ユニキャスト要であっても、マクロセル及びＣＳＧセルの何れも高負荷状態である場合には、ＵＥは、マクロセル及びＣＳＧセルの何れに接続しても、十分なサービス品質を得られない可能性がある。このため、ＵＥは、ユニキャスト要であって、かつ、マクロセル及びＣＳＧセルの何れも高負荷状態である場合において、ＭＢＭＳ要であるときは、マクロセルとのＲＲＣコネクションを確立する。これにより、ＭＢＭＳデータをＰＴＭで受信できる分、使用するリソースを削減できる。
【０１０８】
これに対し、ユニキャスト要であっても、マクロセル及びＣＳＧセルの何れも高負荷状態である場合において、ＭＢＭＳ不要であるときは、マクロセルとのＲＲＣコネクションを確立してもよく、マクロセルからＣＳＧセルへのセル再選択を行った上でＣＳＧセルとのＲＲＣコネクションを確立してもよい。ただし、ＵＥは、他のＵＥがマクロセルのリソースを利用しやすくするために、マクロセルからＣＳＧセルへのセル再選択を行った上でＣＳＧセルとのＲＲＣコネクションを確立することが好ましい。
【０１０９】
（４．２）動作シーケンス
図１１は、本実施形態に係るＨｅＮＢ、ｅＮＢ、及びＵＥの動作を示すシーケンス図である。ここでは、図９に示す動作環境における動作を説明する。すなわち、マクロセルからＰＴＭで配信されるＭＢＭＳデータをＲＲＣアイドル状態で受信しているＵＥは、当該マクロセルとは周波数が異なり、かつアクセス権を有するＣＳＧセルが近傍にあることを検知している。
【０１１０】
図１１に示すように、ステップＳ１１において、ＵＥは、マクロセルからＰＴＭで配信されるＭＢＭＳデータをＲＲＣアイドル状態で受信する。
【０１１１】
ステップＳ１２において、ＣＳＧセル（ＨｅＮＢ）は、ＣＳＧセル負荷情報をネットワークインターフェイス上でマクロセル（ｅＮＢ）に送信する。なお、ＣＳＧセル（ＨｅＮＢ）は、ＣＳＧセル負荷情報をＳ１インターフェイス上で（ＭＭＥ経由で）マクロセル（ｅＮＢ）に送信してもよい。
【０１１２】
ステップＳ１３において、マクロセル（ｅＮＢ）は、ＣＳＧセル負荷情報及びマクロセル負荷情報をブロードキャストで送信する。ＵＥは、ＣＳＧセル負荷情報及びマクロセル負荷情報を受信する。
【０１１３】
ステップＳ１４において、ＵＥは、上述したセル再選択制御を行う。具体的には、ＵＥは、以下の３つの判断基準に基づいて、マクロセルからＣＳＧセルへのセル再選択を行うか否かを判断（セル再選択制御）する。
【０１１４】
・マクロセルからブロードキャストで送信されるマクロセル負荷情報及び／又はＣＳＧセル負荷情報
・送信すべき上りリンクデータが発生したか否か（すなわち、ユニキャストデータを送受信する必要が生じたか否か）
・ＭＢＭＳデータの受信継続を望むか否か（すなわち、ＭＢＭＳに依然として興味があるか否か）
ステップＳ１５において、ＵＥは、送信すべき上りリンクデータが発生した場合において、ステップＳ１４におけるセル再選択制御によって待ち受けセルとして選択したセルとのＲＲＣコネクションを確立する。なお、ＲＲＣコネクションを確立するための手順は、ランダムアクセス手順を含む。
【０１１５】
［第２実施形態］
上述した第１実施形態では、ＣＳＧセル（ＨｅＮＢ）は、ＣＳＧセル負荷情報をネットワークインターフェイス上でマクロセル（ｅＮＢ）に送信していた。
【０１１６】
これに対し、第２実施形態では、ＣＳＧセル（ＨｅＮＢ）は、無線インターフェイス上でＣＳＧセル負荷情報をブロードキャストで送信する。ただし、ＣＳＧセル（ＨｅＮＢ）は、ＣＳＧセル（ＨｅＮＢ）の負荷レベルが所定レベルを超えている期間においてＣＳＧセル負荷情報を送信し、当該負荷レベルが当該所定レベルを超えていない期間においてＣＳＧセル負荷情報を送信しないよう制御してもよい。
【０１１７】
図１２は、本実施形態に係るＨｅＮＢ、ｅＮＢ、及びＵＥの動作を示すシーケンス図である。ここでは、図９に示す動作環境における動作を説明する。すなわち、マクロセルからＰＴＭで配信されるＭＢＭＳデータをＲＲＣアイドル状態で受信しているＵＥは、当該マクロセルとは周波数が異なり、かつアクセス権を有するＣＳＧセルが近傍にあることを検知している。
【０１１８】
図１２に示すように、ステップＳ２１において、ＵＥは、マクロセルからＰＴＭで配信されるＭＢＭＳデータをＲＲＣアイドル状態で受信する。
【０１１９】
ステップＳ２２において、マクロセル（ｅＮＢ）は、マクロセル負荷情報をブロードキャストで送信する。ＵＥは、マクロセル負荷情報を受信する。
【０１２０】
ステップＳ２３において、ＣＳＧセル（ＨｅＮＢ）は、ＣＳＧセル負荷情報をブロードキャストで送信する。例えば、ＣＳＧセル（ＨｅＮＢ）は、ＣＳＧセル負荷情報をＳＩＢに含めて送信する。ＵＥは、隣接セル・モニタリング手順を用いて、ＣＳＧセル（ＨｅＮＢ）からブロードキャストで送信されたＣＳＧセル負荷情報を受信する。
【０１２１】
ステップＳ２４において、ＵＥは、上述したセル再選択制御を行う。具体的には、ＵＥは、以下の３つの判断基準に基づいて、マクロセルからＣＳＧセルへのセル再選択を行うか否かを判断（セル再選択制御）する。
【０１２２】
・マクロセルからブロードキャストで送信されるマクロセル負荷情報、及び／又はＣＳＧセル（ＨｅＮＢ）からブロードキャストで送信されるＣＳＧセル負荷情報
・送信すべき上りリンクデータが発生したか否か（すなわち、ユニキャストデータを送受信する必要が生じたか否か）
・ＭＢＭＳデータの受信継続を望むか否か（すなわち、ＭＢＭＳに依然として興味があるか否か）
ステップＳ２５において、ＵＥは、送信すべき上りリンクデータが発生した場合において、ステップＳ２４におけるセル再選択制御によって待ち受けセルとして選択したセルとのＲＲＣコネクションを確立する。
【０１２３】
［その他の実施形態］
この開示の一部をなす論述及び図面はこの発明を限定するものであると理解すべきではない。この開示から当業者には様々な代替実施形態、実施例及び運用技術が明らかとなる。
【０１２４】
上述した各実施形態では、ＭＢＭＳをサポートするマクロセル（ｅＮＢ）の動作について説明したが、ＭＢＭＳをサポートしないマクロセル（ｅＮＢ）は、上述した各実施形態に係る動作（具体的には、負荷情報に関する動作）を行わなくてもよい。
【０１２５】
また、ＭＢＭＳをサポートするマクロセル（ｅＮＢ）は、ＭＢＭＳサービスを提供している場合（ＭＢＭＳデータを配信している場合）にのみ、上述した各実施形態に係る動作（具体的には、負荷情報に関する動作）を行ってもよい。すなわち、ＭＢＭＳをサポートするマクロセルは、ＭＢＭＳデータを配信する期間において当該動作を行い、ＭＢＭＳデータを配信しない期間において当該動作を行わない、としてもよい。
【０１２６】
また、上述した各実施形態では、ＵＥは、マクロセル負荷情報及びＣＳＧセル負荷情報の両方に基づいてセル再選択を制御していたが、ＣＳＧセル負荷情報に基づくことなく、マクロセル負荷情報に基づいてセル再選択を制御してもよい。例えば、ＵＥは、送信すべき上りリンクデータが発生した場合で、マクロセル負荷情報が所定閾値よりも高い場合（すなわち、マクロセルが高負荷状態にある場合）、マクロセルからＣＳＧセルへのセル再選択を行った上でＣＳＧセルとのＲＲＣコネクションを確立する。さらに、ＵＥは、ＣＳＧセルとのＲＲＣコネクションを確立した後、ＭＢＭＳデータをＣＳＧセルからＰＴＰで受信してもよい。
【０１２７】
上述した各実施形態では、一般セルがマクロセルであり、特定セルがＣＳＧセルである一例を説明したが、一般セルはマクロセルよりも小型のピコセルなどであってもよい。また、特定セルはハイブリッドセルであってもよい。ハイブリッドセルは、ＣＳＧに属するＵＥからはＣＳＧセルとみなされ、ＣＳＧに属さないＵＥからはオープンなセルとみなされる。よって、ハイブリッドセルは、ＣＳＧセルの一種とみなすことができる。
【０１２８】
さらに、上述した各実施形態では、ＬＴＥシステムを例に説明したが、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）などの他の通信規格に対して本発明を適用してもよい。
【０１２９】
なお、米国仮出願第６１／５９１４６２号（２０１２年１月２７日出願）の全内容が、参照により、本願明細書に組み込まれている。
【産業上の利用可能性】
【０１３０】
以上のように、本発明は、移動通信などの無線通信分野において有用である。
【要約】
ＭＢＭＳデータのＰＴＭ配信をサポートする一般セルと、前記ＭＢＭＳデータのＰＴＭ配信をサポートしない特定セルと、を含む移動通信システムにおける通信制御方法は、前記一般セルが、一般セル負荷情報をブロードキャストで送信するステップＡと、アイドル状態で前記一般セルを待ち受けセルとして選択しつつ前記一般セルから前記ＭＢＭＳデータを受信しているユーザ端末が、前記ステップＡで送信された前記一般セル負荷情報を受信するステップＢと、前記ユーザ端末が、前記ステップＢで受信した前記一般セル負荷情報に基づいて、前記一般セルから前記特定セルへのセル再選択を制御するステップＣと、を有する。
【選択図】図１１【図１】
0005989273.tif 000002
【図２】
0005989273.tif 000003
【図３】
0005989273.tif 000004
【図４】
0005989273.tif 000005
【図５】
0005989273.tif 000006
【図６】
0005989273.tif 000007
【図７】
0005989273.tif 000008
【図８】
0005989273.tif 000009
【図９】
0005989273.tif 000010
【図１０】
0005989273.tif 000011
【図１１】
0005989273.tif 000012
【図１２】
0005989273.tif 000013